(57)【要約】【課題】本発明の目的は、消費電力を低減した電源異常検出装置および電子機器を提供することにある。【解決手段】電子回路への電源の異常を検出する電源異常検出装置であって、電源からの配線に流れる電流により発生する磁気を検出する磁気検出手段と、磁気検出手段の出力が所定値を超えない場合に電子回路への電源の異常と判別する判別手段と、を有する。【選択図】図１
2013252030.tif 000002
【特許請求の範囲】
【請求項１】
電子回路への電源の異常を検出する電源異常検出装置であって、
前記電源からの配線に流れる電流により発生する磁気を検出する磁気検出手段と、
前記磁気検出手段の出力が所定値を超えない場合に前記電子回路への電源の異常と判別する判別手段と、
を有することを特徴とする電源異常検出装置。
【請求項２】
前記判別手段は、
前記磁気検出手段が出力する信号を増幅する信号増幅手段と、
前記増幅された信号と予め設定された基準レベルとを比較する比較手段と、を有することを特徴とする請求項１に記載の電源異常検出装置。
【請求項３】
前記電子回路は記憶手段を備えることを特徴とする請求項１または２に記載の電源異常検出装置。
【請求項４】
電子回路と、
前記電子回路への電源の異常を検出する請求項１乃至３のいずれか１項に記載の電源異常検出装置と、
を有することを特徴とする電子機器。
【請求項５】
前記電子回路への電源の接続状態を表示する表示手段を有することを特徴とする請求項４に記載の電子機器。
【請求項６】
前記表示手段は発光ダイオードであることを特徴とする請求項５に記載の電子機器。
【請求項７】
前記電子回路への電源の異常を検出する場合に、前記表示手段の表示をオフとすることを特徴とする請求項５または６に記載の電子機器。
【請求項８】
前記電子回路は記憶手段を備えることを特徴とする請求項４乃至７のいずれか１項に記載の電子機器。
【請求項９】
前記電子回路への電源の異常を検出する場合に、前記記憶手段への書き込みを中止することを特徴とする請求項８に記載の電子機器。
【請求項１０】
前記記憶手段は情報処理部に接続されていることを特徴とする請求項９に記載の電子機器。
【発明の詳細な説明】
【技術分野】
【０００１】
本発明は、記憶装置などの電子回路を内蔵した電子機器にあって、電子回路への電源の異常を検出する電源異常検出装置およびこれを用いた電子機器に関するものである。
【背景技術】
【０００２】
従来、記憶装置などの電子回路を内蔵した電子機器にあっては、停電などの電源異常により、記憶装置のデータの欠落・破損や、電子回路の誤動作などの問題が引き起こされていた。このような問題を未然に防止するために、電源の異常を監視し、異常があった場合に、適切な処理を行うことが知られている（特許文献１、特許文献２）。
【０００３】
ここで、発光ダイオードの周期的点滅を用いた従来の電源異常検出について、図５に基づいて説明する。電源変換回路５００は交流電源と接続され、二次側制御回路５０５の電源、および比較回路５０３、光半導体５０４の電源を生成する。整流器５０１は交流電源を全波整流し、分圧抵抗５０２へ出力する。分圧抵抗５０２は、比較回路５０３に入力可能な電圧に下げ、比較回路５０３へ出力する。比較回路５０３の一方の入力には分圧抵抗５０２からの出力が入力され、もう一方の入力には予め設定された基準レベルが入力される。
【０００４】
分圧抵抗５０２の出力は全波整流波形のため、比較回路５０３の出力はある周期でＨＩとＬＯＷを繰り返す波形となる。比較回路５０３の出力に接続される光半導体５０４の中の発光ダイオードは、比較回路５０３の出力がＨＩのときには消灯し、ＬＯＷのときには点灯する。光半導体５０４の中の光センサは、発光ダイオードが消灯したときはＨＩを出力し、点灯したときはＬＯＷを出力する構成となっている。光半導体５０４は二次側制御回路５０５のマイコン５０６（情報処理部）と接続され、マイコン５０６は光半導体５０４から周期的にＨＩとＬＯＷが入力されていることを検出し、電源正常を判断する。
【０００５】
逆にマイコン５０６が、光半導体５０４から周期的にＨＩとＬＯＷが入力されていないことを検出すると、電源が異常であると判断する。マイコン５０６は電源異常を検出した場合、マイコン５０６に接続されるＥＥＰＲＯＭ５０７の書き込みを停止し、各種データを保護する。
【０００６】
また、磁気検出手段としての磁気センサを用いて磁気を検出することは一般的に知られているが、磁気検出手段の出力が有る場合を前提としてその出力情報を活用するものであって、磁気検出手段の出力が無い場合を前提にその出力情報を活用するものではない。
【先行技術文献】
【特許文献】
【０００７】
【特許文献１】特開平０４−３０８４１５号公報
【特許文献２】特開２００２−７８２３３号公報
【発明の概要】
【発明が解決しようとする課題】
【０００８】
しかしながら、上述した従来技術における電源異常検出装置としての消費電力は、分圧抵抗５０２と光半導体５０４でほぼ占められ（０．数Ｗ〜１Ｗ程度）、スタンバイ状態における全消費電力（数Ｗ程度）に対して割合的に無視できないものであった。
【０００９】
本発明の目的は、消費電力を低減した電源異常検出装置および電子機器を提供することにある。
【課題を解決するための手段】
【００１０】
上記目的を達成するために、本発明は、電子回路への電源の異常を検出する電源異常検出装置であって、前記電源からの配線に流れる電流により発生する磁気を検出する磁気検出手段と、前記磁気検出手段の出力が所定値を超えない場合に前記電子回路への電源の異常と判別する判別手段と、を有することを特徴とする。
【００１１】
また、上記電源異常検出装置を用いた電子機器も本発明の他の一側面を構成する。
【００１２】
（作用）
本発明によれば、電源からの配線に電流が流れていなければ、磁気が発生しないため、電源は異常であると判別できる。電源異常であると判別した場合は、記憶手段への書き込みを中止し、データ保護を行う。
【発明の効果】
【００１３】
本発明によれば、消費電力（磁気検出手段の消費電力は０．０数Ｗ程度）を低減した電源異常検出装置および電子機器を提供できる。
【図面の簡単な説明】
【００１４】
【図１】本発明の実施形態に係る電源異常検出装置、および電源変換回路、二次側制御回路を含むブロック図である。
【図２】電源変換回路の詳細なブロック図である
【図３】電源異常処理回路で行われる電源異常検出を説明する図であり、（ａ）は電源電圧波形を表す図、（ｂ）は電源電流波形を表す図、（ｃ）は電源電流により発生する磁気波形を表す図、（ｄ）は増幅回路の出力波形を表す図、（ｅ）は比較回路の出力波形を表す図である。（ａ）乃至（ｅ）は電源異常時における各信号の変化を示す波形である。
【図４】本発明の実施形態に係る電源異常検出装置を用いた電子機器としての液晶プロジェクタのブロック図である。
【図５】従来の電源異常検出装置のブロック図である。
【発明を実施するための形態】
【００１５】
以下に、本発明の好ましい実施の形態を、添付の図面に基づいて詳細に説明する。
【００１６】
《第１の実施形態》
（液晶プロジェクタ）
図４は、本発明の実施形態に係る電源異常検出装置を用いた電子機器としての液晶プロジェクタのブロック図である。交流電源から電源変換回路４００に入力され、電源変換回路４００は、電源異常検出回路２００、二次側制御回路３００の電源を生成し、供給する。また、交流電源から投射電源回路１０２にも入力され、投射電源回路１０２は、画像処理部１０４、液晶駆動部１０５、液晶パネル１０６、ランプ１０８の電源を生成し、供給する。
【００１７】
画像入力部１０３は、画像入力端子（不図示）を備える画像入力インターフェースであり、画像出力装置から各種形式の画像信号が入力され、入力された画像信号を画像処理部１０４へ出力する。画像処理部１０４は、色補正処理、ガンマ補正処理、解像度変換処理、スケーリング処理等の各種処理を行い、これらの処理が施された画像信号を液晶駆動部１０５へ出力する。
【００１８】
液晶駆動部１０５は、入力された画像信号に基づいて液晶パネル１０６を駆動する。なお、液晶パネル１０５は透過型でも反射型でもよい。また本実施形態では、液晶パネルを用いたプロジェクタについて説明したが、デジタルマイクロミラーデバイス等の他の表示素子を用いてもよい。
【００１９】
図４で、光源であるランプ１０８からの光が光学系（不図示）によって液晶パネル１０６に導かれ、液晶パネル１０６に導かれた光は画像変調され、投射レンズ１０７により投射されることで画像として表示される。
【００２０】
（電源変換回路および二次側制御回路）
図１は、本発明の実施形態に係る電源異常検出装置、および電源変換回路、二次側制御回路を含むブロック図であり、図２は図１における電源変換回路４００の詳細なブロック図である。交流電源から交流電圧が電源変換回路４００に入力され、入力された交流電圧は図２に示す整流器４０１で全波整流され、平滑コンデンサ４０２で平滑化される。さらに平滑化された電圧は、スイッチングＩＣ４０３により、スイッチング素子４０４のオン／オフを高速で繰り返すことで高周波電圧となる。
【００２１】
高周波電圧は、変圧器の一次巻線４０５から一方の二次巻線４０６に伝達され、二次巻線４０６に接続されるダイオード４０７で整流され、続く平滑コンデンサ４０８により平滑化され、直流電圧Ｖｏｕｔとなる。この直流電圧ＶｏｕｔはスイッチングＩＣ４０３の電源となる。
【００２２】
また高周波電圧は、変圧器の一次巻線４０５からもう一方の二次巻線４０９に伝達され、二次巻線４０９に接続されるダイオード４１０で整流され、続く平滑コンデンサ４１１により平滑化され、直流電圧Ｖｃｃとなる。この直流電圧Ｖｃｃは、フォトカプラ４１２によりスイッチングＩＣ４０３にフィードバックされ、一定の電圧値に保たれる。
【００２３】
直流電圧Ｖｃｃは、図１に示す二次側制御回路３００に入力され、マイコン３０１や、電子回路への電源の接続状態を表示する（ユーザーに電源オン、オフを知らせる）発光ダイオード３０２、各種データを保存するＥＥＰＲＯＭ３０３の電源となる。また直流電圧Ｖｃｃは、電源異常検出回路２００を構成する磁気検出手段としての磁気センサ２０１や信号増幅回路２０２、比較回路２０３の電源にもなっている。ここで、情報処理部であるマイコン３０１により、発光ダイオード３０２の点灯、消灯の制御が可能となっている。また、マイコン３０１から記憶手段であるＥＥＰＲＯＭ３０３に対し、各種データの書き込み、読み出し制御が可能となっている。
【００２４】
（電源異常検出装置）
図１に示す電源異常処理回路２００における磁気センサ２０１は、交流電源と電源変換回路４００とを接続する配線１に流れる電流により発生する磁気を検出するために、配線１の近くに配置される。磁気センサ２０１と増幅回路２０２が接続され、信号増幅回路２０２により磁気センサ２０１の出力信号を増幅し、出力する。
【００２５】
さらに比較回路２０３の一方の入力端子に信号増幅回路２０２の出力が入力され、比較回路２０３のもう一方の入力端子には予め設定された基準レベルが入力される。判別手段としての比較回路２０３は、予め設定された基準レベルと信号増幅回路２０２の出力信号を比較し、所定値（基準レベル）以上の場合はＨＩＧＨ信号、所定値（基準レベル）を超えない場合はＬＯＷ信号を出力する。比較回路２０３は、マイコン３０１に接続されており、マイコン３０１に対し電源異常を知らせることができる。
【００２６】
図３（ａ）乃至（ｅ）は、図１に示す電源異常処理回路２００で行われる電源異常検出を説明する図である。図３（ａ）は電源電圧波形を、図３（ｂ）は電源電流波形を、図３（ｃ）は電源電流により発生する磁気波形を、図３（ｄ）は信号増幅回路２０２の出力波形を、図３（ｅ）は前記比較回路２０３の出力波形を表す。
【００２７】
交流電源が正常な場合、図３（ａ）に示すように交流電圧が電源変換回路４００に入力され、配線１に流れる電流は、コンデンサインプット型の前記電源変換回路４００であるため、図３（ｂ）に示すような一定間隔のパルス信号となる。この電源電流により発生する磁気は電源電流に比例するため、図３（ｃ）に示すような信号となる。磁気センサ２０１は、この磁気を読み取り、磁気に応じた信号を信号増幅回路２０２に出力する。
【００２８】
信号増幅回路２０２により磁気センサ２０１の出力信号を増幅するが、信号増幅回路２０２がプラスの単電源であるため、マイナス側の信号はＧＮＤでクリップされ、図３（ｄ）に示すような信号となる。比較回路２０３に入力する基準レベルは、信号増幅回路２０２の出力信号の最大値とＧＮＤの中間に設定されており、信号増幅回路２０２の出力信号が基準レベルを越えた場合に、比較回路２０３は図３（ｅ）に示すような一定間隔のパルス信号を出力する。マイコン３０１は、この一定間隔のパルス信号を読み取ることにより、交流電源が正常であることを判断する。
【００２９】
交流電源に異常がある場合は、配線１に電流が流れないため、比較回路２０３の出力も所定値（基準レベル）を超えないＬＯＷの期間が続くことになり、マイコン３０１は交流電源が異常であることを判断する。マイコン３０１が電源異常であると判断した場合は、平滑コンデンサ４１１に蓄えられた電荷により、二次側制御回路３００動作可能な時間のうちに、ＥＥＰＲＯＭ３０３への書き込みを中止し、データ保護を行う。
【００３０】
また、電源異常が起きた際、平滑コンデンサ４１１に蓄えられた電荷により、発光ダイオード３０２がしばらく点灯し続けるというある種の電子回路の誤動作が起こる。この誤動作により、電源正常とユーザーに誤解を与える可能性があるため、マイコン３０１は、電源異常を判断した場合、発光ダイオード３０２を消灯することにより、ユーザーの誤解を与えないようにすることができる。
【００３１】
更に、発光ダイオード３０２が点灯していると、平滑コンデンサ４１１の電荷を消費してしまうため、電源異常の際、発光ダイオード３０２を消灯することで、平滑コンデンサ４１１の電荷の消費量を抑えることができる。これにより、ＥＥＰＲＯＭ３０３のデータ保護の時間を延ばす効果も期待できる。
【００３２】
本実施形態の電源異常検出回路２００を構成する磁気センサ２０１、信号増幅回路２０２、比較回路２０３の消費電力は、０．０数Ｗ程度である。従来例における電源異常検出回路を構成する分圧抵抗やフォトカプラの消費電力は０．数Ｗ〜１Ｗ程度であるため、これに比べ、本実施形態では消費電力の低減された電源異常検出装置および電子機器を提供することができる。
【符号の説明】
【００３３】
１・・配線、２００・・電源異常検出回路、２０１・・磁気センサ
【図１】
2013252030.tif 000003
【図２】
2013252030.tif 000004
【図３】
2013252030.tif 000005
【図４】
2013252030.tif 000006
【図５】
2013252030.tif 000007